(57)【要約】【課題】  従来のスリッパは、踵部分を無くし短くしたもの、踵部分を低くしたもの、踵部分に体重を掛けて上下させるもの、土踏まず部分が盛り上がったもの、どれも一つの機能だけであった。本発明は、一足のスリッパにて踵パッドを反転させることにより、ダイエットや土踏まずの刺激、踵パッド表面に設けた多数の凸部による踵の刺激、等の、二役の機能を兼ね備えた、反転する踵踵パッドを装着した履物を提供する。【解決の手段】  スリッパ後方の踵部分に段差を設け、低くなった踵部分の外周部を残し、内側を底面まで開口し、その踵開口部分を覆い被せ塞ぐような、パッドを装着、パッドの厚みが踵高さを保て、表面には多数の凸部を設ける、パッドは土踏まずと踵の間を支点として反転し、反転したパッドは土踏まず部分に盛り上がりを作る。【選択図】図６
2015058331.tif 000002
【特許請求の範囲】
【請求項１】
スリッパ後方の踵部分を一段低くし、低くなった踵部分を通常の踵高さに出来る踵パッドを設け、その踵パッドは土踏まずと踵の間を支点として反転する、踵パッドを備えたことを特徴とする反転する踵パッドを装着した履物。
【請求項２】
土踏まずと踵の間を支点として反転する踵パッドが反転した際、土踏まず部分に重なり踵パッドの厚みでスリッパの土踏まず部分を盛上げる、踵パッドを備えたことを特徴とする請求項１に記載の反転する踵パッドを装着した履物。
【請求項３】
スリッパ後方の踵部分を一段低くし、低くなった踵部分の踵が乗る部分以外の外周部を残し、内側を底面まで刳り貫き開口穴を設け、その踵開口部分を覆い被せるような、踵パッドを備えたことを特徴とする請求項２に記載の反転する踵パッドを装着した履物。
【請求項４】
反転する踵パッドの裏面には、踵パッドの横ズレを防ぎ踵パッドを安定させ、開口穴に納まる盛り上がりを設けた、踵パッドを備えたことを特徴とする請求項３に記載の反転する踵パッドを装着した履物。
【請求項５】
反転する踵パッドの表面には、踵を刺激する多数の凸部を設けた、踵パッドを備えたことを特徴とする請求項４に記載の反転する踵パッドを装着した履物。
【発明の詳細な説明】
【技術分野】
【０００１】  本発明は、スリッパ後方の踵部分を一段低くし、低くなった踵部分を通常の踵高さに出来る踵パッドを設け、その踵パッドは土踏まずと踵の間を支点として反転する踵パッドを装着した履物に関するものである。
【背景技術】
【０００２】  従来、足底の上面にツボを刺激する突起を設けたスリッパや、踵を上げて履き足の筋肉を引き締め足を細くする為、踵部分を低くしたもの、踵部分を取り除き、短くしたダイエットスリッパとか踵部分がへこむスリッパ等が知られている。
【先行技術文献】
【０００３】
【特許文献１】  特開２００２−１６５６０１号公報
【特許文献２】  特開２００６−１８１３１９号公報
【発明の概要】
【発明が解決しようとする課題】
【０００４】  従来のスリッパは、踵部分を取り除き短くしたダイエットスリッパに、踵部分を低くしたもの（特許文献１）、踵部分に体重を掛け踵を上下させるスリッパ、土踏まず部分が盛り上がったスリッパ（特許文献２）等があったが、どれも一つの機能だけであった。
本発明は、以上の問題点を解決する為になされたものである。
【課題を解決するための手段】
【０００５】  スリッパ後方の踵部分を一段低くし、低くなった踵部分の、踵が乗る部分以外の外周部を残し、内側を底面まで刳り貫き、開口穴を開け、その踵開口部分を覆い被せるような、踵パッドを装着し、その踵パッドの厚みで通常の踵高さに保て、踵を乗せるパッドの表面には多数の凸部を設け、その踵パッドは土踏まずと踵の間を支点として反転する踵パッドで、反転した踵パッドは、パッドの厚みとパッドの横ズレを防ぐ盛り上がりにて、スリッパの土踏まず部分を盛り上げる。
以上の構成よりなる反転する踵パッドを装着した履物。
【発明の効果】
【０００６】  従来、不可能とされていた一足のスリッパを用途に応じ、踵部分の踵パッドを反転させることにより、二つの機能を持たせることを本発明により可能にし、機能の切換は着用の際、装着している踵パッドを反転させることで、容易にできる。本発明は、通常のサンダル等にも利用することができる。
【図面の簡単な説明】
【０００７】
【図１】本発明の平面図
【図２】本発明の踵パッドを反転した平面図
【図３】本発明の側面図
【図４】本発明の踵パッドを反転した側面図
【図５】本発明の斜視図
【図６】本発明の踵パッドを反転した斜視図
【発明を実施するための形態】
【０００８】以下、本発明の実施の形態を説明する。
（イ）図４、に示すように、スリッパ後方の踵部分（１）を垂直に一段低くし、低くなった踵部分の、踵が乗る部分以外の外周部（２）を残し、踵部分の内側を底面まで刳り貫き、開口穴（３）を開け、その踵開口穴（３）を、覆い被せ塞ぐことができ、通常の踵高さに保てる踵パッド（４）を装着する。
（ロ）装着した踵パッド（４）の裏面盛上り部分（５）が、刳り貫き開口部の穴に納まり、横ズレを防ぎ、踵パッド（４）を安定させる。
（ハ）装着した踵パッド（４）は、土踏まずと踵の間を支点（９）として反転する踵パッド（４）で、反転した際、踵パッドは段差を補う傾斜のついたパッドの厚みと、刳り貫き部の穴に納まり横ズレを防ぐ盛上り部分の高さ（５）によって、スリッパの土踏まず部分に盛り上がり（６）を作る。
（ニ）踵が乗る踵パッド（４）の上部表面（７）は踵と接する部分に多数の凸部（８）を設ける。
（ホ）土踏まずと踵の間を支点（９）として反転する踵パッド（４）は、スリッパ本体の後方に向かって垂直に段差が付いた所の上端部（９）付近と、踵パッドの土踏まず側の上端部（１０）を、スリッパ本体と踵パッドが離れないように布生地等を用いて縫いつけたり、接着したりして双方を接続する。
（ヘ）接続箇所（９）は布生地とかウレタン等などで出来た伸び縮みが少なく柔らかい繊維や樹脂を使用するのことで、踵パッド（４）接続箇所を支点として、踵パッド（４）が反転する。
（ト）踵パッド（４）が乗る一段下がった外周部の最も低い部分（１１）より、外周部の後方（１２）に向かって傾斜をつけ高くする、重なり合う踵パッド（４）側は、先端へと厚みを薄くすることにより、踵パッド（４）が反転した際に、足の前部分より土踏まず後方へと、急激な段差を付けず、緩やかに高くできる。
（チ）スリッパ本体の段差部分と踵パッド（４）が乗る周囲は強度を考慮し、踵パッドに体重を掛けても凹まないような素材を使用する。
本発明は以上のような構造である。
【０００９】  本発明を使用する時は、スリッパの用途に応じ、通常の場合は、踵パッド（４）を反転させず上部表面にある多数の凸部（８）にて踵部分を刺激します、
ダイエットや土踏まずのツボ押しで使用する際は、踵パッド（４）を土踏まずと踵の間の支点（９）で反転させ、踵部分を低くし、土踏まず部分をパッドの厚みで盛上げ使用します。開口部分より、踵にゴミ等が付着するのがいやな人には、スリッパ後方の開口部分底面を塞いだスリッパを作ることも可能である。
【符号の説明】
【００１０】１  スリッパ後方の踵部分、２  踵が乗る部分以外の外周部、３  踵開口穴、
４  踵パッド、５  横ズレを防ぐ盛上り部分の高さ、６  踵の盛上がり、
７  上部表面、８  多数の凸部、９  支点、１０  上端部、
１１  外周部の最も低い部分、１２  外周部の後方、
【図１】
2015058331.tif 000003
【図２】
2015058331.tif 000004
【図３】
2015058331.tif 000005
【図４】
2015058331.tif 000006
【図５】
2015058331.tif 000007
【図６】
2015058331.tif 000008